【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
ディスプレイシステムであって、
ウェアラブルディスプレイデバイスであって、
光をユーザに指向するように構成される光再指向特徴を備える表示面積であって、前記表示面積は、少なくとも部分的に、透明であり、前記表示面積を通して、周囲環境のビューを提供するように構成される、表示面積
を備える、ウェアラブルディスプレイデバイスと、
１つまたはそれを上回るハードウェアプロセッサと、
コンピュータ実行可能命令を含む非一過性コンピュータ可読記憶媒体であって、前記コンピュータ実行可能命令は、前記１つまたはそれを上回るハードウェアプロセッサによって実行されると、前記１つまたはそれを上回るハードウェアプロセッサに、
鏡面反射が前記表示面積を通した前記ユーザの視野内にあることを判定すること
を含む動作を行わせる、非一過性コンピュータ可読記憶媒体と
を備え、前記鏡面反射が前記ユーザの視野内にあることを判定することは、
反射され、検出された電磁放射または音響波の拡散のインジケーションを受信することと、
前記示された拡散が閾値を下回る場合に鏡面反射が存在すると判定することと
を含む、ディスプレイシステム。
【請求項２】
前記表示面積は、複数の画像を複数の深度平面上に出力するように構成される複数の光再指向特徴のセットを備え、光指向特徴の各セットは、光を出力し、画像を前記複数の深度平面のうちの１つ上に形成するように構成される、請求項１に記載のディスプレイシステム。
【請求項３】
前記ディスプレイデバイスは、導波管のスタックを備え、前記導波管の少なくともいくつかは、前記光再指向特徴を備え、前記導波管は、光源からの光を内部結合し、前記光を出力するために光を外部結合し、前記複数の画像を形成するように構成され、各導波管は、単一の対応する深度平面に関して画像を出力するように構成される、請求項２に記載のディスプレイシステム。
【請求項４】
拡張現実コンテンツを続いて前記表示面積内に表示することをさらに含み、前記拡張現実コンテンツは、前記反射を拡張する、請求項１に記載のディスプレイシステム。
【請求項５】
前記ディスプレイデバイスは、ユーザ注視持続時間または瞳孔面積の一方または両方を検出するように構成されるカメラを備え、前記拡張現実コンテンツを続いて表示することは、ユーザ注視持続時間または瞳孔面積の一方または両方に応じて、前記拡張現実コンテンツのタイプおよびタイミングの一方または両方を修正することを含む、請求項４に記載のディスプレイシステム。
【請求項６】
前記動作はさらに、前記ユーザの識別を判定することを含み、前記拡張現実コンテンツを続いて表示することは、前記ユーザに一意の情報を表示することを含む、請求項４に記載のディスプレイシステム。
【請求項７】
前記動作はさらに、前記拡張現実コンテンツを続いて表示する前に、前記ユーザの場所を判定することを含み、前記拡張現実コンテンツを続いて表示することは、
前記ユーザの場所に特有の拡張現実コンテンツを表示すること
を含む、請求項４に記載のディスプレイシステム。
【請求項８】
前記拡張現実コンテンツを表示することは、前記ユーザが位置する店舗または店舗の一部からのセールのオファーを表示することを含む、請求項７に記載のディスプレイシステム。
【請求項９】
前記拡張現実コンテンツは、前記ユーザの反射にオーバーレイする衣類の画像を備える、請求項４に記載のディスプレイシステム。
【請求項１０】
前記拡張現実コンテンツは、定期的使用のための製品を補充するためのアラートを備える、請求項４に記載のディスプレイシステム。
【請求項１１】
前記動作はさらに、
長期時間間隔にわたって前記ユーザの１つまたはそれを上回る画像を捕捉することと、
前記画像または前記画像から導出されるデータを記憶することと、
現在の画像と前記記憶された画像またはデータとの間の比較を行うことと
を含み、
前記拡張現実コンテンツを続いて表示することは、前記比較の結果を表示することを含む、請求項４に記載のディスプレイシステム。
【請求項１２】
前記比較の結果を表示することは、前記ユーザの１つまたはそれを上回る以前の画像を表示することを含む、請求項１１に記載のディスプレイシステム。
【請求項１３】
前記比較を行うことは、健康分析を行うことを含む、請求項１１に記載のディスプレイシステム。
【請求項１４】
健康分析を行うことは、体型、皮膚蒼白、皮膚特徴における変化を検出することを含む、請求項１３に記載のディスプレイシステム。
【請求項１５】
前記動作はさらに、体重計、体温計、脈拍計、および心拍モニタのうちの１つまたはそれを上回るものからのデータにアクセスすることを含む、請求項４に記載のディスプレイシステム。
【請求項１６】
前記拡張現実コンテンツを続いて表示することは、前記アクセスされたデータまたは前記アクセスされたデータから導出される情報の一方または両方を表示することを含む、請求項１５に記載のディスプレイシステム。
【請求項１７】
前記動作はさらに、
前記ユーザのアクティビティに関する情報を収集することと、
前記ユーザのアクティビティに関する情報を前記ユーザの反射を提供する反射表面と関連付けられた受信ステーションに伝送することと
を含む、請求項１に記載のディスプレイシステム。
【請求項１８】
前記動作はさらに、
前記ユーザの識別を判定することと、
前記ユーザの購入またはブラウジング履歴にアクセスすることと、
前記購入またはブラウジング履歴に基づいて、セールのオファーを生成することと
を含む、請求項１に記載のディスプレイシステム。
【請求項１９】
前記反射が前記ユーザの視野内にあることを判定することは、前記反射の画像を分析し、前記反射内の指向性特徴が反転されているかどうかを判定することを含む、請求項１に記載のディスプレイシステム。
【請求項２０】
前記ユーザは、前記反射内に存在し、前記動作はさらに、
前記ユーザの反射の画像を捕捉することと、
前記ユーザの捕捉された画像に基づいて、健康分析を行うことと
を含む、請求項１に記載のディスプレイシステム。
【請求項２１】
前記健康分析は、神経学的試験を備える、請求項２０に記載のディスプレイシステム。
【請求項２２】
前記健康分析は、脳神経試験、運動検査、観察可能な身体異常の検査、筋緊張および筋肉量の点検、筋肉の機能試験、個々の筋群の強度の試験、反射試験、協調試験、および歩行試験のうちの１つまたはそれを上回るものを備える、請求項２０に記載のディスプレイシステム。
【請求項２３】
画像を表示するための方法であって、前記方法は、
ウェアラブルディスプレイデバイスを提供することであって、前記ウェアラブルディスプレイデバイスは、
光をユーザに指向するように構成される光再指向特徴を備える表示面積であって、前記表示面積は、少なくとも部分的に、透明であり、前記表示面積を通して、周囲環境のビューを提供するように構成される、表示面積
を備える、ことと、
鏡面反射が前記表示面積を通した前記ユーザの視野内にあることを判定することと
を含み、前記反射が前記ユーザの視野内にあることを判定することは、
反射され、検出された電磁放射または音響波の拡散のインジケーションを受信することと、
前記拡散が閾値を下回る場合に反射が存在すると判定することと
を含む、方法。
【請求項２４】
前記ユーザは、前記反射内に存在し、前記方法は、
前記ユーザの反射の画像を捕捉することと、
前記ユーザの捕捉された画像に基づいて、前記ユーザの健康分析を行うことと
をさらに含む、請求項２３に記載の方法。
【請求項２５】
光学信号または聴覚信号の一方または両方を前記ユーザに提供することによって、前記ユーザを反射表面に誘引することをさらに含む、請求項２３に記載の方法。
【請求項２６】
拡張現実コンテンツを続いて前記表示面積内に表示することをさらに含み、前記拡張現実コンテンツは、前記反射を拡張する、請求項２３に記載の方法。
【請求項２７】
前記拡張現実コンテンツを続いて表示する前に、前記ユーザの場所を判定することをさらに含み、前記拡張現実コンテンツを続いて表示することは、
前記ユーザの場所に特有の拡張現実コンテンツを表示することを含む、請求項２６に記載の方法。
【請求項２８】
拡張現実コンテンツを表示することは、前記ユーザが位置する店舗または店舗の一部からのセールのオファーを表示することを含む、請求項２７に記載の方法。
【請求項２９】
前記拡張現実コンテンツは、前記ユーザの反射にオーバーレイする衣類の画像を備える、請求項２７に記載の方法。
【手続補正２】
【補正対象書類名】明細書
【補正対象項目名】０３３０
【補正方法】変更
【補正の内容】
【０３３０】
６４．第２の発呼者の画像を生成するために、コンピュータプロセッサは、第１の拡張現実デバイスによって捕捉されていない、第２の発呼者の身体の領域を識別し、第２の発呼者の身体の領域を備える、第３の画像を読み出し、少なくとも部分的に、第２の拡張現実デバイスから受信された第２の画像および第３の画像に基づいて、第２の発呼者の画像を生成するようにプログラムされる、実施形態５８に記載のシステム。
本発明は、例えば、以下を提供する。
（項目１）
ディスプレイシステムであって、
ウェアラブルディスプレイデバイスであって、
光をユーザに指向するように構成される光再指向特徴を備える表示面積であって、前記表示面積は、少なくとも部分的に、透明であり、前記表示面積を通して、周囲環境のビューを提供するように構成される、表示面積
を備える、ウェアラブルディスプレイデバイスと、
１つまたはそれを上回るハードウェアプロセッサと、
コンピュータ実行可能命令を含む非一過性コンピュータ可読記憶媒体であって、前記コンピュータ実行可能命令は、
前記１つまたはそれを上回るハードウェアプロセッサによって実行されると、前記１つまたはそれを上回るハードウェアプロセッサに、
反射が前記表示面積を通した前記ユーザの視野内にあることを判定するステップ
を含む動作を行わせる、非一過性コンピュータ可読記憶媒体と
を備える、ディスプレイシステム。
（項目２）
前記表示面積は、複数の画像を複数の深度平面上に出力するように構成される複数の光再指向特徴のセットを備え、光指向特徴の各セットは、光を出力し、画像を前記複数の深度平面のうちの１つ上に形成するように構成される、項目１に記載のディスプレイシステム。
（項目３）
前記ディスプレイデバイスは、導波管のスタックを備え、前記導波管の少なくともいくつかは、前記光再指向特徴を備え、前記導波管は、光源からの光を内部結合し、前記光を出力するために光を外部結合し、前記複数の画像を形成するように構成され、各導波管は、単一の対応する深度平面に関して画像を出力するように構成される、項目２に記載のディスプレイシステム。
（項目４）
拡張現実コンテンツを続いて前記表示面積内に表示するステップをさらに含み、前記拡張現実コンテンツは、前記反射を拡張する、項目１に記載のディスプレイシステム。
（項目５）
前記ディスプレイデバイスは、ユーザ注視持続時間または瞳孔面積の一方または両方を検出するように構成されるカメラを備え、前記拡張現実コンテンツを続いて表示するステップは、ユーザ注視持続時間または瞳孔面積の一方または両方に応じて、前記拡張現実コンテンツのタイプおよびタイミングの一方または両方を修正するステップを含む、項目４に記載のディスプレイシステム。
（項目６）
前記動作はさらに、前記ユーザの識別を判定するステップを含み、前記拡張現実コンテンツを続いて表示するステップは、前記ユーザに一意の情報を表示するステップを含む、項目４に記載のディスプレイシステム。
（項目７）
前記動作はさらに、前記拡張現実コンテンツを続いて表示する前に、前記ユーザの場所を判定するステップを含み、前記拡張現実コンテンツを続いて表示するステップは、
前記ユーザの場所に特有の拡張現実コンテンツを表示するステップ
を含む、項目４に記載のディスプレイシステム。
（項目８）
前記拡張現実コンテンツを表示するステップは、前記ユーザが位置する店舗または店舗の一部からのセールのオファーを表示するステップを含む、項目７に記載のディスプレイシステム。
（項目９）
前記拡張現実コンテンツは、前記ユーザの反射にオーバーレイする衣類の画像を備える、項目４に記載のディスプレイシステム。
（項目１０）
前記拡張現実コンテンツは、定期的使用のための製品を補充するためのアラートを備える、項目４に記載のディスプレイシステム。
（項目１１）
前記動作はさらに、
長期時間間隔にわたって前記ユーザの１つまたはそれを上回る画像を捕捉するステップと、
前記画像から導出される画像またはデータを記憶するステップと、
現在の画像と前記記憶された画像またはデータとの間の比較を行うステップと
を含み、
前記拡張現実コンテンツを続いて表示するステップは、前記比較の結果を表示するステップを含む、項目４に記載のディスプレイシステム。
（項目１２）
前記比較の結果を表示するステップは、前記ユーザの１つまたはそれを上回る以前の画像を表示するステップを含む、項目１１に記載のディスプレイシステム。
（項目１３）
前記比較を行うステップは、健康分析を行うステップを含む、項目１１に記載のディスプレイシステム。
（項目１４）
健康分析を行うステップは、体型、皮膚蒼白、皮膚特徴における変化を検出するステップを含む、項目１３に記載のディスプレイシステム。
（項目１５）
前記動作はさらに、体重計、体温計、脈拍計、および心拍モニタのうちの１つまたはそれを上回るものからのデータにアクセスするステップを含む、項目４に記載のディスプレイシステム。
（項目１６）
前記拡張現実コンテンツを続いて表示するステップは、前記アクセスされたデータまたは前記アクセスされたデータから導出される情報の一方または両方を表示するステップを含む、項目１５に記載のディスプレイシステム。
（項目１７）
前記動作はさらに、
前記ユーザのアクティビティに関する情報を収集するステップと、
前記ユーザのアクティビティに関する情報を前記ユーザの反射を提供する反射表面と関連付けられた受信ステーションに伝送するステップと
を含む、項目１に記載のディスプレイシステム。
（項目１８）
前記動作はさらに、
前記ユーザの識別を判定するステップと、
前記ユーザの購入またはブラウジング履歴にアクセスするステップと、
前記購入またはブラウジング履歴に基づいて、セールのオファーを生成するステップと
を含む、項目１に記載のディスプレイシステム。
（項目１９）
前記反射が前記ユーザの視野内にあることを判定するステップは、前記反射の画像を分析し、前記反射内の指向性特徴が反転されるかどうかを判定するステップを含む、項目１に記載のディスプレイシステム。
（項目２０）
前記ユーザは、前記反射内に存在し、前記動作はさらに、
前記ユーザの反射の画像を捕捉するステップと、
前記ユーザの捕捉された画像に基づいて、健康分析を行うステップと
を含む、項目１に記載のディスプレイシステム。
（項目２１）
前記健康分析は、神経学的試験を備える、項目２０に記載のディスプレイシステム。
（項目２２）
前記健康分析は、脳神経試験、運動検査、観察可能な身体異常の検査、筋緊張および筋肉量の点検、筋肉の機能試験、個々の筋群の強度の試験、反射試験、協調試験、および歩行試験のうちの１つまたはそれを上回るものを備える、項目２０に記載のディスプレイシステム。
（項目２３）
画像を表示するための方法であって、前記方法は、
ウェアラブルディスプレイデバイスを提供するステップであって、前記ウェアラブルディスプレイデバイスは、
光をユーザに指向するように構成される光再指向特徴を備える表示面積であって、前記表示面積は、少なくとも部分的に、透明であり、前記表示面積を通して、周囲環境のビューを提供するように構成される、表示面積
を備える、ステップと、
反射が前記表示面積を通した前記ユーザの視野内にあることを判定するステップと
を含む、方法。
（項目２４）
前記ユーザは、前記反射内に存在し、
前記ユーザの反射の画像を捕捉するステップと、
前記ユーザの捕捉された画像に基づいて、前記ユーザの健康分析を行うステップと
をさらに含む、項目２３に記載の方法。
（項目２５）
光学または聴覚信号の一方または両方を前記ユーザに提供することによって、前記ユーザを反射表面に誘引するステップをさらに含む、項目２３に記載の方法。
（項目２６）
拡張現実コンテンツを続いて前記表示面積内に表示するステップをさらに含み、前記拡張現実コンテンツは、前記反射を拡張する、項目２３に記載の方法。
（項目２７）
前記拡張現実コンテンツを続いて表示する前に、前記ユーザの場所を判定するステップをさらに含み、前記拡張現実コンテンツを続いて表示するステップは、
前記ユーザの場所に特有の拡張現実コンテンツを表示するステップを含む、項目２６に記載の方法。
（項目２８）
拡張現実コンテンツを表示するステップは、前記ユーザが位置する店舗または店舗の一部からのセールのオファーを表示するステップを含む、項目２７に記載の方法。
（項目２９）
前記拡張現実コンテンツは、前記ユーザの反射にオーバーレイする衣類の画像を備える、項目２７に記載の方法。